(57)【要約】【課題】重ね合わせ方式で接続されたバスダクトの接続部における分岐を容易に且つ簡単な構造で可能とするバスダクト分岐構造を得ること。【解決手段】重ね合わされて接続されるバスダクト１０の同相導体１３の端部の間に分岐用の導電性部材１４が介在されて重ね合わされ、分岐用導電性部材１４の少なくとも縁部の一部は、前記重ね合わされた状態でバスダクトの導体端部の縁部よりも外方へ突出し、該突出部が前記分岐のための接続箇所とされている。これにより、簡単な構造かつ安価で重ね合わせ方式のバスダクト接続部にて分岐が可能となる。また、導体の重ね合わせ部相互間に分岐用導電性部材が介在するため、バスダクト導体端部と分岐用導電性部材の接触面を多くとって好適な電気接続を行っても接続部自体の長さ方向への長さを長くする必要もない。【選択図】  図１
2004222416.tif 000002
【特許請求の範囲】
【請求項１】
互いのバスダクトに装填された同相導体の端部同士が重ね合わされて接続されたバスダクト接続部にて分岐を行うバスダクトの分岐構造において、
前記重ね合わされて接続されるバスダクトの同相導体の端部の間に板状体に形成された分岐用の導電性部材が介在されて重ね合わされ、該分岐用導電性部材の少なくとも縁部の一部は、前記重ね合わされた状態でバスダクトの導体端部の縁部よりも外方へ突出し、該突出部が前記分岐のための接続箇所とされたことを特徴とするバスダクトの分岐構造。
【請求項２】
前記分岐のための接続箇所の外方への突出は、
バスダクトハウジング内での突出であることを特徴とする請求項１に記載のバスダクトの分岐構造。
【請求項３】
前記分岐のための接続箇所は、前記分岐側接続体の接続端子に形成されたクリップにワンタッチで挟持される厚さに形成されていることを特徴とする請求項１又は２の何れかに記載のバスダクトの分岐構造。
【請求項４】
前記分岐のための接続箇所は、前記分岐側接続体の接続端子をワンタッチ受け入れ可能なクリップ構造を有することを特徴とする請求項１又は２の何れかに記載のバスダクトの分岐構造。
【請求項５】
前記分岐のための接続箇所は、前記分岐用導電性部材の対向する２方向のそれぞれの縁部に形成されたことを特徴とする請求項１〜４の何れかに記載のバスダクトの分岐構造。
【請求項６】
前記分岐用導電性部材は、接続されるバスダクトの導体端部の少なくとも一方に前記重ね合わせ前に、予め取り付けられていることを特徴とする請求項１〜５の何れかに記載のバスダクトの分岐構造。
【請求項７】
前記分岐用導電性部材の前記導体に重ね合わされて設置されるバスダクト内位置は、バスダクトの長さ方向に伸びる中心線において線対称の配置となる位置であることを特徴とする請求項１〜６の何れかに記載のバスダクトの分岐構造。
【発明の詳細な説明】
【０００１】
【発明の属する技術分野】
本発明は、互いのバスダクトの同相導体端部同士を重ね合わせて電気的に接続するいわゆる重ね合わせ式のバスダクト接続部での分岐を行うバスダクトの分岐構造に関する。
【０００２】
【従来の技術】
バスダクトの接続の方式としては、装填されている導体を相互に突き合わせた状態で接続するいわゆる突き合わせ方式と導体相互を重ね合わせて接続するいわゆる重ね合わせ方式が存する。
【０００３】
突き合わせ方式は、接続されるそれぞれの同相導体が相互に接続方向正面の対向する位置に所定間隔をもって突き合わされ、それら双方の導体の電気的接続は、それら導体端部の両面にそれぞれ両導体端部に跨った状態で導電性のあて（当）板部材を設置することにより行われる。すなわち、突き合わされた導体端部をあて（当）板部材で挟むものである。後述する特許文献２（実開平７―１１８３４号）の公開公報では、図３の（ロ）にその様な突き合わせ方式の接続の例が示されており、あて（当）板部材は符号４にて示されている。なお、あて（当）板部材相互間及び最も外側のあて板部とバスダクトハウジングの内壁面との間には、それぞれ絶縁セパレータが設けられている。
【０００４】
また、重ね合わせ方式では、接続されるバスダクトの同相導体相互が正面の対向する位置ではなく、一方又は双方がシフトされており、そのシフト位置にて互いに重なり合って接続されるものである。なお、重合された導体相互間及び最も外側の導体とバスダクトハウジングの内壁面との間には、絶縁セパレータがそれぞれ設けられている。
【０００５】
上記突き合わせ方式では、導体の接続端部をシフトさせる作業が不要であるが、あて板部材と導体との確実な接触面確保における困難性があり、重ね合わせ方式では、シフト作業は必要であるが、接続部の長さが短くて足りるという利点がある。
【０００６】
この様な接続の行われるバスダクトにおいて、種々の電源確保のため、バスダクトの幹線からの分岐が行われるが、この分岐は、通常、１本のバスダクトの中間位置に分岐用の構造を形成し、その箇所からこれを行っている。すなわち、中間位置に分岐用構造の形成された分岐用バスダクトを分岐の必要な箇所に設置し、そこから分岐を行っているので、その作業は煩雑なものとなることが多い。
【０００７】
例えば特許文献１には、バスダクトの中間部で分岐を行っている技術が開示されている。この技術の場合、分岐の必要性が新らたに生じた場合は、分岐希望箇所の通常のバスダクトを分岐用バスダクトに取り替える必要があり、コストアップに繋がるものであった。更に、分岐用バスダクトは大型で、且つ重量があるため、取り替え作業に多大な労力を費やす必要があった。
【０００８】
更に、バスダクトの中間部における分岐は、バスダクトの導体と絶縁体セパレータとの間にプラグイン器具の接続子を挿入する構成であるため、当該特許文献１の第２図から明らかなように、接続子がバスダクトの中心からずれてしまい、プラグイン器具を挿入向きも規制されてしまい、逆方向に分岐後の電力線を配設したい場合に不具合が生じてくる。
【０００９】
そこで、バスダクトの中間部ではなく、接続部において分岐を行う要請が生じ、例えば、特許文献２のような技術が提案されている。この技術は、上述の突き合わせ方式の接続を前提とする技術である。すなわち、長さ方向に相対向する導体を導体あて板を介して接続した接続部において、導体あて板の側面に、分岐端子板を取付けそれが上方に突出して分岐側の接続体に接続されるようになっている。
【００１０】
【特許文献１】
実公昭４９―１１９１９号
【特許文献２】
実開平７―１１８３４号
【００１１】
【発明が解決しようとする課題】
しかしながら、上記特許文献２のように、突き合わせ方式のバスダクトの接続部で分岐する構成では、同相の導体端部相互が重なっておらず、導体あて板によって同相の導体端部相互間を電気的に接続しているため、導体の端部相互は離反しており、空間が生じている。したがって、この空間に上述した分岐端子板を位置させれば、導体相互の接続構造に変更を生じさせることなく分岐の構造確保することができる。
【００１２】
しかしながら、重ね合わせ方式によるバスダクトの接続部の場合は、上記空間が存在しないので、仮に上記特許文献２の構造を使用した場合は、重合された接続導体の更に外方に分岐端子板を位置させると、厚みが増加し、不要な空間も発生してしまう。また、上記特許文献１と同様に、分岐端子板がバスダクトの中心からずれてしまい、分岐側の接続体との接続を容易に行うようにするためには、分岐用端子板自体を導体の中心部まで屈曲させるなどの構成も必要となる。これは、コストアップや接続部の大型化という弊害も生じさせるものである。
【００１３】
本発明は上記課題を解決するためになされたものであり、その目的は、重ね合わせ方式で接続されたバスダクトの接続部における容易な分岐を可能とする簡単な構造のバスダクト分岐構造を提供することにある。
【００１４】
【課題を解決するための手段】
上記目的を達成するため、請求項１に係るバスダクトの分岐構造は、
重ね合わせ方式のバスダクト接続部にて分岐を行うバスダクトの分岐構造において、重ね合わされて接続されるバスダクトの同相導体の端部の間に板状体に形成された分岐用の導電性部材が介在されて重ね合わされ、該分岐用導電性部材の少なくとも縁部の一部は、前記重ね合わされた状態でバスダクトの導体端部の縁部よりも外方へ突出し、該突出部が前記分岐のための接続箇所とされている。
【００１５】
これにより、簡単な構造かつ安価で重ね合わせ方式のバスダクト接続部にて分岐が可能となる。また、導体の重ね合わせ部相互間に分岐用導電性部材が介在するため、バスダクト導体端部と分岐用導電性部材の接触面を多くとって好適な電気接続を行っても接続部自体の長さ方向への長さを長くする必要がない。
【００１６】
また、板状体である分岐用導電性部材の縁部の一部（突出部）が分岐のための接続箇所となるので、厚さ方向の増大も小さなもので足り、分岐側の接続体との関係で分岐用導電性部材を屈曲させるような必要性も生じない。
【００１７】
請求項２に係るバスダクトの分岐構造は、
前記分岐のための接続箇所の外方への突出が、バスダクトハウジング内での突出であることを特徴としている。これにより、分岐を行わない場合、すなわち分岐側の接続体との接続を行わない場合にも、接続構造が外部に突出することもなく、単に板状体の分岐用導電性部材が導体間に挟まれているだけなので、通常の接続部と何ら変わりがなく、邪魔になるおそれがない。したがって、分岐の必要が生じたときのみに活用可能な邪魔にならない構造が確保される。
【００１８】
請求項３に係るバスダクトの分岐構造は、
分岐用導電性部材の分岐のための接続箇所が、前記分岐側接続体の接続端子に形成されたクリップにワンタッチで挟持される厚さに形成されている。すなわち、導体よりも外方に突出した分岐用導電性部材の縁部である分岐のための接続箇所にクリップを装填することだけで分岐のためのプラグイン分岐部が形成される。
【００１９】
請求項４に係るバスダクトの分岐構造は、
分岐用導電性部材の分岐のための接続箇所が、前記分岐側接続体の接続端子をワンタッチ受け入れ可能なクリップ構造を有している。これにより、分岐側接続体の接続端子の構造をクリップに挟持されるだけの簡単な構造とすることが可能となる。
【００２０】
請求項５に係るバスダクトの分岐構造は、
分岐用導電性部材の分岐のための接続箇所が、前記分岐用導電性部材の対向する２方向のそれぞれの縁部に形成されている。これにより、複雑な構造を伴うことなく、２方向の何れの方向へも分岐構造を確保することができる。例えば、伸長するバスダクトの上下の何れの方向へも容易に分岐が可能となる。
【００２１】
請求項６に係るバスダクトの分岐構造は、
分岐用導電性部材が、接続されるバスダクトの導体端部の少なくとも一方に前記重ね合わせ前に、予め取り付けられている。例えば、接着剤などで予め一方のの導体端部に取り付けておくことにより、導体相互の重ね合わせ動作時に同時に分岐用導電性部材の重ね合わせ設置が完成し、作業の容易化が図られている。
【００２２】
請求項７に係るバスダクトの分岐構造は、
分岐用導電性部材の前記導体に重ね合わされて設置されるバスダクト内位置が、バスダクトの長さ方向に伸びる中心線、すなわち、幅方向の中心位置をつなぐ線において線対称の配置となる位置とされている。
【００２３】
すなわち、導体相互の間に介在させて分岐用導電性部材が重合されているので、バスダクト内の導体の配置が、バスダクトの接続部の平面視における長さ方向に伸びる中心線において線対称に配置されている限り、分岐用導電性部材も線対称位置に配置されることとなる。したがって、通常の導体の配置のままで分岐用導電性部材は線対称に配置され、分岐側の接続体の構成も方向性に限定が加えられることもない。例えば、上記クリップ式のプラグイン分岐部の構成のような場合に、前後を入れ替えても支承なく接続が可能となるので接続の便利性がより向上する。
【００２４】
【発明の実施の形態】
以下、本発明の実施の形態について図面に基づいて詳細に説明する。図１は本発明の第１の実施形態のバスダクト分岐構造を示すためのバスダクト分岐構造の平面説明図である。
【００２５】
図１に示した本実施の形態に係るバスダクト１０は、オフィスビル等で電気幹線路を構成するものであり、主として絶縁被覆されている３線の絶縁被覆導体１２が密着並設されて内部に装填されている。図示された部分は、バスダクト１０−１とバスダクト１０−２の接続部であり、図示のように各導体の被覆層を除去した部分１３相互を重ね合わせた状態で接続する方式をとっている。なお、同図において、一点鎖線１００で示された部分は、接続部のカバー部材であり、一点鎖線２００で示された部分は、そのカバー部材１００に形成された開口部である。
【００２６】
接続部における各絶縁被覆導体１２は、直線状態からそれぞれシフトされ（段差が設けられ）、このシフトにより、重合部分は、同相の導体と互いに重ね合わされた状態では、バスダクトの平面視における伸長方向に伸びる中心線３００において線対称の配置となるように調整されている。なお、絶縁被覆が除去された導体の部分については、以下、符号１３を付して述べる。
【００２７】
本発明の特徴的部分は、それぞれ重合された同相導体の相互間に薄い板状体の分岐用導電性部材１４が介在していることである。すなわち、３相の導体がそれぞれ重合されているので、３枚の分岐用導電性部材１４−１，１４−２，１４−３が配置されている。したがって、全体の重ね合わせ状態は、それぞれ中間に分岐用導電性部材１４を挟んだ３組の導体１３が存し、それぞれの接合導体対の間には、３層に形成された絶縁セパレータ１６−１、１６−２が配置され、更に、バスダクト１０の接続部の継側板１８と接合導体対との間にも絶縁セパレータ１６−３、１６−４が配置されて構成されている。
【００２８】
なお、図上、バスダクト１０の接続のためのビス止め構造やボルト・ナット、皿ばね等からなる締着具に関する構造は、公知の技術であるので説明を省略する。
【００２９】
図２は、バスダクト分岐構造の正面説明図であり、各部材の側面視方向の外縁形状（各部材の面方向のサイズ）が破線にて示されている。図示のように、分岐用導電性部材１４の縁部は、重合された導体１３の外縁部よりも外方に突出しており、また、絶縁セパレータ１６の外縁よりも内方に位置している。
【００３０】
図３は、バスダクト分岐構造の右断面説明図であり、上述の重合された各部材の縁部の突出関係が明確に示されている。図示のように、各分岐用導電性部材１４−１，１４−２，１４−３は、絶縁セパレータ１６の縁部相互間の空間に突出した状態となっており、後述のようにこの分岐用導電性部材１４の縁部が、分岐のための接続箇所となるものである。
【００３１】
図４（Ａ）及び（Ｂ）には、上述したバスダクト分岐構造に対して、分岐側接続体の接続部を接続させる状態が示されている。図示のように、分岐側接続体の接続部には、クリップ構造の３個の接触子２０が突出形成されており、その配置は、各分岐用導電性部材１４−１，１４−２，１４−３にそれぞれ対向する位置とされている。分岐側接続体は、同図（Ａ）に示したように上方から上記カバー部材１００の開口部２００に被せるように設置され、各接触子２０は、開口部２００からバスダクト１０内へ挿入され、同図（Ｂ）に示されたように各分岐用導電性部材１４−１，１４−２，１４−３を挟んだ状態でセットされる。
【００３２】
この様に、バスダクトの分岐部の接続構造は、導体よりも外方に突出した分岐用導電性部材１４の縁部によって構成されている。そして、分岐用導電性部材１４の分岐用接続部としての縁部には特別の構造体は付加されておらず、板状体のままの構成である。
【００３３】
また、接触子２０の構成は、分岐用導電性部材１４の縁部を狭持可能で、且つ絶縁セパレータ１６の縁部相互間の間隔よりも狭いクリップ状の構造とされている。本実施の形態におけるクリップ状接触子２０は、２枚の薄板状の導体をそれぞれ離反するように外方に膨出し、下部で２枚の導体が接触することによりクリップ部を形成し、クリップ部の先端部には分岐用導電性部材１４がクリップ内に入りやすいように広がり部が設けられている。
【００３４】
上記のような分岐構造としたことにより、分岐時に生じる接続作業の容易性だけでなく、装着分岐を行わない場合や途中で止める場合にもクリップ状接触子２０を引き抜いて取り外せば、分岐用導電性部材１４の縁部は、上述のように絶縁セパレータ１６の縁部よりも外方へ突出していないので何ら邪魔になることもなく、分岐を行わない通常のバスダクト接続部として使用することができる。
【００３５】
更に、上記第１の実施形態のバスダクト分岐構造では、各分岐用導電性部材１４−１，１４−２，１４−３が重ね合わされた導体１３の相互間に位置するため、各分岐用導電性部材１４は、バスダクト接続部の平面視におけるバスダクトの長さ方向に伸びる中心線（図１の符号３００）において、線対称の配置となっている。したがって、上記接触子２０を備えた分岐側接続体としてのプラグイン器具に方向性が出ることがなく、どちら方向からでも接続、分岐を行うことが可能となっている。また、従来の突き合わせ式の接続部における分岐構造のような分岐用導電性部材自体への段差部などの折曲加工が不要であることから、組立工数も少ないもので足りる。
【００３６】
次に、本発明の第２の実施形態として、図５〜図７において、バスダクトの接続部の構成が上記図１から３に係るものと異なる形式のものに本発明を応用した例を示している。すなわち、図２に符号４００にて示した中央の１個のボルト、ナットによる締結構造ではなく、両側に２個のボルト、ナットの配置を行った場合の本発明の適用構造である。
【００３７】
図５は第２の実施の形態のバスダクト分岐構造の平面説明図であり、図６は同バスダクト分岐構造の正面説明図であり、図７は同バスダクト分岐構造の右断面説明図である。なお、図１から３と同様の要素には同一の符号を付し、その説明を省略する。
【００３８】
上記第１の実施の形態と異なるのは、中央に締結部が存在しないので、その分部には貫通孔はなく、両側部に締結部材２２が存在することから、分岐用導電性部材１４及び絶縁セパレータ１６には、それぞれ上下の縁部に切り欠き凹部１４ａ、１６ａが形成されていることである。また、接続のためのバスダクト側板２４を図１から３の構成に比し、長さ方向に長くすることにより、継側板１８をなくした構成となっている。
【００３９】
この様に本発明に係るバスダクトの分岐構造は、種々の形態のバスダクトの接続構造に微調整することにより適宜応用することができる。また、第２の実施の形態の場合には、締着具２２が貫通している箇所のバスダクト長さ方向両側の空間が分岐用空間とされる。
【００４０】
次に、図８（Ａ）及び（Ｂ）に基づいて第３の実施の形態について説明する。本実施の形態の特徴的事項は、バスダクトの分岐用の接続構造側にクリップ状接触子を設けたことである。すなわち、図示のように分岐用導電性部材１４自体にクリップ状の接触子２６を形成している。したがって、分岐側の接続体である接触子２８の構成は、そのクリップ状接触子２６に挟まれる構造であればよく図示のように、フラットな単純な構成になっている。
【００４１】
また、図示のように、クリップ状接触子２６は、分岐用導電性部材１４の対向する縁部の双方（上下の縁部）に形成されており、両方向からの接続が可能となっている。
【００４２】
同図（Ｂ）は、分岐側接続体の接触子２８が、バスダクト側のクリップ状接触子２６に挟まれて接続された状態が示されている。この様に差し込み動作という簡単な動作のみによって、分岐のための接続が終了することに関しては、上記各実施の形態と同様である。
【００４３】
なお、分岐用導電性部材１４にクリップ状接触子２６を形成するための構造としては、上記図８のようにクリップ部２６ａを分岐用導電性部材１４の縁部にリベット３０で取り付ける構造に限られるものではない。例えば、図９に示したように、分岐用導電性部材１４を２枚の板状体から構成し、該当の縁部をクリップ状に形成し、リベット止めにより形成することも可能である。また、何れの構成においても、絶縁セパレータ１６の縁部の相互間に位置することから絶縁処理は不要である。
【００４４】
次に、図１０（Ａ）〜（Ｃ）及び図１１（Ａ）〜（Ｃ）は、本発明に係るバスダクトの分岐構造の制作に関する種々の例を示している。分岐用導電性部材１４とバスダクト導体１３とは別体であることから、分岐用導電性部材１４を接続作業時にバスダクト導体端部１３相互間に介在させることとなるが、接着剤やリベット、溶接等で予め両者を一体化させておくことにより、作業の効率化を図った例が示されている。
【００４５】
まず、図１０（Ａ）は第１の実施形態と同様の構成であり、分岐用導電性部材１４が予め一方のバスダクト導体１３の重ね合わせ面に接着剤等で一体化されている構成である。なお、各図において、符号３２は締結部材挿通用の孔を示している。
【００４６】
同図（Ｂ）は、分岐用導電性部材１４を長さ方向に二分割し、一方の分岐用導電性部材１４−１を一方のバスダクト導体１３−１に一体化させ、他方の分岐用導電性部材１４−２を他方のバスダクト導体１３−２に一体化させる構成であり、バスダクト接続を行った場合に同時に第１の実施の形態に係るバスダクト分岐部を形成することが可能となっている。更に、本構成を使用することにより、分岐用導電性部材１４の長さ方向端部が衝突するまでバスダクトを挿入動作すればよいため、バスダクト接続時の位置決めが容易なものとなる。
【００４７】
同図（Ｃ）は、分岐用導電性部材１４を幅方向に二分割し、一方の分岐用導電性部材１４−１を一方のバスダクト導体端部１３−１に一体化させ、他方の分岐用導電性部材１４−２を他方のバスダクト導体端部１３−２に一体化させる構成である。本構成を使用することにより、分岐用導電性部材１４が幅方向にて当接する位置でバスダクト接続が良好に行われるため、バスダクト接続時の幅方向の位置決めが容易なものとなる。
【００４８】
図１１（Ａ）は、上記図１０（Ｂ）の構成に類似しており、分岐用導電性部材１４−１、１４−２の長さ方向の長さを短くした構成であり、この構成により分岐用導電性部材１４−１、１４−２に接続部の締着具を挿通する挿通穴を形成する必要がなくなる。本構成を上記第２の実施形態に使用した場合、分岐用導電性部材１４に設けられた切欠き凹部１４ａを設ける必要がなくなるため、より安価に、且つ単純な構成のバスダクト分岐構造を提供することが可能となる。
【００４９】
図１１（Ｂ）は、同図（Ａ）と同様の分岐用導電性部材１４−１，１４−２を使用し、挿通孔３０の代わりにバスダクト導体１３の長さ方向端部に切欠き凹部１３ａを形成する構成である。本構成を使用することにより、一方の導体端部１３−１側に絶縁セパレータ１６を配置し、締着具で仮締着した状態で、他方の導体端部１３−２を同相の導体端部１３−１をそこに挿入し、締着具を緊締するだけで、接続作業が終了するため、締着具挿通用の穴を合わせる作業等が解消される。
【００５０】
図１１（Ｃ）は、一方のバスダクト導体端部１３−１で分岐用導電性部材１４が一体化されている構成において図１０（Ａ）と同様であり、他方のバスダクト導体端部１３−２側は、図１１（Ｂ）の分岐用導電性部材１４−２を取り除いた状態と同一構成である。本構成により、図１１（Ｂ）と同様の作用を発揮することが可能である。
【００５１】
なお、この様な簡易装着形式は、上記構成に限定されず、上記構成の組合せや他の構成であっても良い。また、分岐用導電性部材１４を正面視略Ｌ字形に形成することにより、導体１３の端部の長さ方向及び幅方向への位置決めの双方を容易なものとすることも可能である。
【００５２】
また、上記実施の形態では、分岐用導電性部材１４の接続用の縁部は、各図において上下２方向の両端部に形成された構成が示されたが、これに限られず、片側縁部のみが突出した接続部とされる構成であっても良い。したがって、分岐用導電性部材を平面視略Ｔ字状に構成して、分岐用導電性部材の幅方向一方端部のみが突出する構成としてもよく、更には、平面視十字状に構成して両端部の一部が突出するような構成としても良い。
【００５３】
本発明に係るバスダクト分岐構造は、上述の実施の形態にて適用された形式のバスダクトの構造のみに適用されるものではなく、例えば、ハウジングはどのような構成であっても良く、装填される導体も２線式あるいは４線式など種々のものに適用可能である。
【００５４】
【発明の効果】
以上説明したように、本発明に係るバスダクト分岐構造によれば、簡単な構成の付加により、バスダクトの接続部で且つ重ね合わせ方式の接続部における分岐を容易且つ確実に行うことができ、分岐部を追加する場合、分岐部を止める場合の何れの場合にも、特に接続部の交換が必要になることもない。
【図面の簡単な説明】
【図１】本発明の第１実施形態に関するバスダクト分岐装置の平面説明図である。
【図２】本発明の第１実施形態に関するバスダクト分岐装置の正面説明図である。
【図３】本発明の第１実施形態に関するバスダクト分岐装置の右断面説明図である。
【図４】（Ａ）及び（Ｂ）は、本発明の第１実施形態に関するバスダクト分岐装置に接触子を挿入する前の状態及び挿入後の状態をそれぞれ示す右断面説明図である。
【図５】本発明の第２実施形態に関するバスダクト分岐装置の平面説明図である。
【図６】本発明の第２実施形態に関するバスダクト分岐装置の正面説明図である。
【図７】本発明の第２実施形態に関するバスダクト分岐装置の右断面説明図である。
【図８】（Ａ）及び（Ｂ）は、分岐用導電性部材をクリップ状にした構成例の接触子挿入前の状態及び挿入後の状態をそれぞれ示すバスダクト分岐装置の右断面説明図である。
【図９】導電性部材をクリップ状にした他の構成例を示すバスダクト分岐装置の右断面説明図である。
【図１０】（Ａ）から（Ｃ）は、本発明に係るバスダクトの分岐構造の制作に関する例を示す説明図である。
【図１１】（Ａ）から（Ｃ）は、本発明に係るバスダクトの分岐構造の制作に関する例を示す説明図である。
【符号の説明】
１０  バスダクト
１３  導体
１４  分岐用導電性部材
１６  絶縁セパレータ
２０    接触子
２６    クリップ状接触子
２８    接触子
【図１】
2004222416.tif 000003
【図２】
2004222416.tif 000004
【図３】
2004222416.tif 000005
【図４】
2004222416.tif 000006
【図５】
2004222416.tif 000007
【図６】
2004222416.tif 000008
【図７】
2004222416.tif 000009
【図８】
2004222416.tif 000010
【図９】
2004222416.tif 000011
【図１０】
2004222416.tif 000012
【図１１】
2004222416.tif 000013